(57)【要約】【課題】薬剤認識装置の挿入口から内部への分包袋の搬送をスムーズに行うことを可能とする分包袋の搬送補助シートを提供する。【解決手段】分包袋の搬送補助シート１０は、矢印１３、説明図１４、テープ貼付部１５などが付されている。矢印１３は、薬剤認識装置に挿入される際の挿入方向Ｙを示している。説明図１４は、搬送補助シート１０のテープ貼付部１５および分包袋１１の一端に対して粘着テープ１６を貼り付けることによって、搬送補助シート１０と分包袋１１とを結合状態にすることを示している。結合状態とされた搬送補助シート１０および分包袋１１は、薬剤認識装置の内部へ挿入される。【選択図】図１
0003218091.tif 000002
【実用新案登録請求の範囲】
【請求項１】
薬剤が分包された分包袋の一端と結合された状態で、薬剤認識装置の挿入口から前記薬剤認識装置の内部へ搬送される分包薬剤の搬送補助シートであって、
前記分包袋よりも高い剛性および平坦性を有している分包袋の搬送補助シート。
【請求項２】
前記薬剤認識装置に挿入される際の挿入方向における基端部と前記分包袋の一端とを結合する使用方法を示す説明図が付されている請求項１記載の分包袋の搬送補助シート。
【請求項３】
前記挿入方向を示す矢印が付されている請求項２記載の分包袋の搬送補助シート。
【請求項４】
前記挿入方向における基端部にテープ貼付部を示す長方形枠が付されている請求項２または３記載の分包袋の搬送補助シート。
【考案の詳細な説明】
【技術分野】
【０００１】
本考案は、分包薬剤の監査等の薬剤認識業務を行う際、分包袋の搬送を補助する分包袋の搬送補助シートに関する。
【背景技術】
【０００２】
従来、薬局または医療関係機関等において、調剤され、分包袋に分包された分包薬剤が処方情報の内容と合っているか否かを確認する薬剤監査業務等の薬剤認識業務が行われている。例えば、薬剤監査業務において、薬剤認識装置として使用される薬剤監査装置では、処方情報に基づく分包薬剤の画像（分包薬剤マスタ画像）を作成する（例えば特許文献１参照）。そして、分包薬剤マスタ画像の作成後、分包薬剤の撮影を行い、分包薬剤マスタ画像と、分包薬剤を撮影した撮影画像とを照合することにより、各分包袋ごとに処方情報通りに薬剤が分包されているか否かを確認することができる。
【０００３】
薬剤監査装置では、分包袋に分包された分包薬剤の撮影を行うために、分包袋が挿入口から薬剤監査装置の内部に挿入され、挿入口の奥に設けられたカメラによって、分包薬剤が順次撮影されていく。分包薬剤の撮影を終えた分包袋は、排出口から排出される。薬剤監査装置の内部には、分包袋を挿入口からカメラ、さらにカメラから排出口へ搬送するための搬送機構が設けられている。
【先行技術文献】
【特許文献】
【０００４】
【特許文献１】特開２０１７−１９２６５１号公報
【考案の概要】
【考案が解決しようとする課題】
【０００５】
しかしながら、薬剤が分包される分包袋は、切断して中身を取り出すため、あるいは各分包袋ごとに分離可能とするために、柔軟な素材で形成されている。このため、分包袋を押し込む力が伝わりにくく、薬剤監査装置等の薬剤認識装置の挿入口から内部への挿入が困難な場合がある。
【０００６】
また、分包袋に分包される分包薬剤には、形状、大きさ、厚みの異なる様々な種類の薬剤が含まれていることがあり、分包袋の表面には凹凸を有する。このような表面に凹凸を有する分包袋に対して、搬送機構の駆動力が十分に伝達できないため、分包袋の搬送がスムーズにいかず、薬剤認識装置による薬剤認識業務の効率を低下させてしまうことがある。
【０００７】
本考案は、上記課題を鑑みてなされたものであり、薬剤認識装置の挿入口から内部への分包袋の搬送をスムーズに行うことを可能とする分包袋の搬送補助シートを提供することを目的とする。
【課題を解決するための手段】
【０００８】
上記目的を達成するため、本考案の分包袋の搬送補助シートは、薬剤が分包された分包袋の一端と結合された状態で、薬剤認識装置の挿入口から薬剤認識装置の内部へ搬送される分包薬剤の搬送補助シートであって、分包袋よりも高い剛性および平坦性を有している。
【０００９】
薬剤認識装置に挿入される際の挿入方向における基端部と分包袋の一端とを結合する使用方法を示す説明図が付されていることが好ましい。挿入方向を示す矢印が付されていることが好ましい。
【００１０】
挿入方向における基端部にテープ貼付部を示す長方形枠が付されていることが好ましい。
【考案の効果】
【００１１】
本考案によれば、薬剤認識装置の挿入口から内部への分包袋の搬送をスムーズに行うことができる。
【図面の簡単な説明】
【００１２】
【図１】本考案の分包袋の搬送補助シートおよび分包袋である。
【図２】本考案の搬送補助シートの正面図である。
【図３】搬送補助シートを用いる薬剤監査装置の斜視図である。
【図４】薬剤監査装置の要部断面図である。
【図５】薬剤監査業務中の薬剤監査装置の斜視図である。
【図６】薬剤監査装置が作成した分包薬剤マスタ画像と、薬剤撮影画像の一覧表の一例である。
【考案を実施するための形態】
【００１３】
図１において、分包袋の搬送補助シート（以下、搬送補助シートとする。）１０は、分包袋１１とともに用いられる。なお、本実施形態では、薬剤認識業務としての薬剤監査業務を例に上げて説明する。分包袋１１には、薬局または医療関係機関等において調剤され、各服用時点で服用すべき複数の薬剤（以下、分包薬剤とする。）１２が分包されている。後述する薬剤監査業務においては、複数の分包袋１１が一列に連結したものを用いる。
【００１４】
図２において、搬送補助シート１０は、長方形の薄板状シートに各種情報が付されたものである。搬送補助シート１０は、分包袋１１よりも高い剛性および平坦性を有しており、例えば、プラスチック製のシートに各種情報を印刷して形成される。搬送補助シート１０の一方の面１０Ａには、各種情報としての矢印１３、説明図１４、テープ貼付部１５などが付されている。
【００１５】
説明図１４は、搬送補助シート１０の使用方法を示している。具体的には、説明図１４は、搬送補助シート１０のテープ貼付部１５および分包袋１１の一端に対して粘着テープ１６を貼り付けることによって、搬送補助シート１０と分包袋１１とを結合状態にすることを示している。また、搬送補助シート１０の面１０Ａには、説明図１４の中で描かれたテープ貼付部１５を示す部分と、実際のテープ貼付部１５とを結ぶ点線１７が付されている。
【００１６】
矢印１３は、薬剤認識装置に相当する薬剤監査装置２１に挿入される際の挿入方向Ｙを示している。これにより、搬送補助シート１０を矢印１３が示す挿入方向Ｙに向けて挿入すればよいことが分かる。また、矢印１３の輪郭線内側には、「表」を示す文字１８が付されており、この文字１８が付された面１０Ａを表側にして挿入することを示している。
【００１７】
搬送補助シート１０は、挿入方向Ｙにおける寸法Ｌが、挿入方向Ｙと直交する幅方向Ｘにおける寸法Ｗよりも長く形成されている。これにより、搬送補助シート１０を安定して搬送することができる。搬送補助シート１０の寸法Ｗは、後述する薬剤監査装置２１の挿入口２２に設けられた挿入ステージ２３に合わせて形成されている。
【００１８】
テープ貼付部１５は、挿入方向Ｙにおいて矢印１３とは反対側、すなわち挿入方向Ｙにおける基端部に位置し、搬送補助シート１０の端縁に沿って配された長方形枠で囲まれた部分である。テープ貼付部１５の付近には、「テープ貼付部」であることを示す文字１９が付されている。
【００１９】
図１に示すように、搬送補助シート１０および分包袋１１に対して粘着テープ１６を貼り付けることにより、搬送補助シート１０と分包袋１１とが結合状態となる。粘着テープ１６は、説明図１４を参照し、上述したテープ貼付部１５と、連結状態の分包袋１１の一方の端部１１Ａに貼り付けられる。
【００２０】
図３に示すように、粘着テープ１６を貼り付けることにより結合状態とされた搬送補助シート１０および分包袋１１は、薬剤監査業務を行う薬剤師によって、薬剤監査装置２１の挿入口２２を通じて薬剤監査装置２１の内部へ挿入される。挿入口２２の下部には、挿入ステージ２３が設けられている。挿入ステージ２３は、挿入口２２から水平方向に延設されている。薬剤師は、矢印１３に付された「表」の文字１８がある面１０Ａを表側、すなわち上面に向け、挿入ステージ２３に沿って搬送補助シート１０を挿入する。
【００２１】
図４に示すように、薬剤監査装置２１では、挿入ステージ２３の奥側に、搬送機構２４およびカメラ２５が設けられている。搬送機構２４は、例えば搬送ベルトなどから構成され、搬送面２４Ａが挿入ステージ２３と同じ位置に配されている。これにより、搬送機構２４は、挿入口２２から挿入された搬送補助シート１０および分包袋１１を薬剤監査装置２１の内部へ順次搬送する。なお、図４では、搬送機構２４の一部のみを図示しており、複数の搬送機構２４を配置して挿入口２２から排出口２６まで搬送補助シート１０および分包袋１１を搬送可能とすることが好ましい。
【００２２】
図５に示すように、薬剤監査装置２１の前面側には、回収ボックス２８と収納ボックス２７とが配置され、収納ボックス２７の中に収納された分包袋１１の一端が引き出されて薬剤監査装置２１の内部へ挿入される。
【００２３】
上述したように、搬送補助シート１０は、分包袋１１よりも高い剛性を有しているため、挿入口２２から薬剤監査装置２１の内部へスムーズに挿入される。また、搬送補助シート１０は、分包薬剤１２が分包された分包袋１１のように凹凸がなく、平坦性を有しているため、搬送機構２４の駆動力が伝わりやすい。これにより、搬送補助シート１０は、結合状態とされた分包袋１１とともに、薬剤監査装置２１の内部を安定して搬送される。
【００２４】
カメラ２５は、搬送機構２４によって搬送された分包袋１１の分包薬剤１２を順次撮影する。分包薬剤１２の撮影を終えた分包袋１１は、搬送機構２４によって薬剤監査装置２１の内部を搬送され、排出口２６から回収ボックス２８の中へ順次排出される。
【００２５】
薬剤監査装置２１は、有線又は無線を介してモニタ２９と接続された状態で使用される。薬剤監査装置２１は、図示しないバーコードリーダ、コンピュータなどの情報入力装置から送信されてくる処方情報を取得し、処方情報に基づいて、分包薬剤マスタ画像を作成する。
【００２６】
薬剤監査装置２１では、分包薬剤マスタ画像の作成後、上述した分包薬剤１２の撮影が行われる。そして、分包薬剤マスタ画像と、分包薬剤１２を撮影した撮影画像とを照合し、撮影画像中に存在する薬剤がどの薬剤に該当するかを判別する。そして、分包薬剤マスタ画像と、撮影画像のうち、分包薬剤マスタ画像に含まれる薬剤に該当すると判別された分包薬剤の画像（薬剤撮影画像）とを対比するために、それぞれの画像が所定の位置に配列された一覧表を作成する。薬剤監査装置２１は、作成した一覧表をモニタ２９に表示する。
【００２７】
図６は、薬剤監査装置２１で作成され、モニタ２９に表示される一覧表の一例である。この一覧表３１では、一列に並んで配された分包薬剤マスタ画像３２に位置を合わせて、分包薬剤１２の薬剤撮影画像３３が撮影された順に並んで表示されている。薬剤撮影画像３３は、分包された一回分の各分包袋１１ごとに一列に並んで配されている。薬剤監査業務において、薬剤師は、各分包袋１１ごとに処方情報通りに分包薬剤１２が分包されているか否かを、一覧表３１により確認することができる。
【００２８】
また、分包薬剤マスタ画像３２と、薬剤撮影画像３３とを照合した際、分包薬剤マスタ画像３２と一致せず、薬剤の種類が不明な薬剤撮影画像３３が存在する場合がある。この場合、薬剤の種類が不明な薬剤撮影画像３３は、分包薬剤マスタ画像３２よりも上部に位置する不明物表示部３４に表示される。図６に示す例では、左から３番目の分包薬剤１２の薬剤撮影画像３３の中に種類が不明なものがあり、不明物表示部３４に表示されている。
【００２９】
以上のように、搬送補助シート１０を用いることで、薬剤監査装置２１の挿入口２２から内部への分包袋１１の搬送をスムーズに行い、分包袋１１に分包された分包薬剤１２を順次撮影することができる。このため、薬剤監査業務を短時間で効率良く行うことができる。また、搬送補助シート１０には、矢印１３、説明図１４、およびテープ貼付部１５が付されているため、挿入方向および使用方法の間違いを防止することができる。
【００３０】
上記実施形態では、搬送補助シートをプラスチック製のシートから形成する例を上げたが、これに限らず、紙や金属など、分包袋よりも高い剛性を有するものであればよい。また、上記実施形態では、搬送補助シートの各種情報を印刷により付しているが、これに限らず、エッチングや彫刻などの表面加工、あるいはシールを貼付するなど情報を付す方法であればよい。
【００３１】
また、上記実施形態では、複数の分包袋が一列に連結した状態のものに対して搬送補助シートを用いているが、分包袋が１つだけのものに対して搬送補助シートを用いてもよい。また、搬送補助シートと分包袋との結合では、粘着テープの貼り付けに限らず、糊付けやクリップ留めなど容易に結合できる方法であればよい。
【符号の説明】
【００３２】
１０  搬送補助シート
１０Ａ  面
１１  分包袋
１１Ａ  端部
１２  分包薬剤
１３  矢印
１４  説明図
１５  テープ貼付部
１６  粘着テープ
１７  点線
１８  文字
１９  文字
２１  薬剤監査装置
２２  挿入口
２３  挿入ステージ
２４  搬送機構
２４Ａ  搬送面
２５  カメラ
２６  排出口
２７  収納ボックス
２８  回収ボックス
２９  モニタ
３１  一覧表
３２  分包薬剤マスタ画像
３３  薬剤撮影画像
３４  不明物表示部
【図１】
0003218091.tif 000003
【図２】
0003218091.tif 000004
【図３】
0003218091.tif 000005
【図４】
0003218091.tif 000006
【図５】
0003218091.tif 000007
【図６】
0003218091.tif 000008